(57)【要約】      （修正有）【課題】フィルタの結露および凍結を抑制すること。【解決手段】撮像装置に取り付けられるレンズ２を覆う光学フィルタ５を加熱する加熱手段を有することを特徴とする加熱装置であって、レンズに対応する形状の開口部１１ａを備える本体部１１と、前記本体部に取り付けられ前記本体部の周りを取り囲むように設けられた発熱部とを有することを特徴とする。前記本体部のアダプタリング３が配置されている側に、前記アダプタリングのリング部分３０の形状に対応する凹部４１ａ，４２ａが設けられていることを特徴とする。前記レンズと前記光学フィルタとに挟まれることを特徴とする前記加熱手段は、前記光学フィルタの端部を支持するフィルタ押さえ６１，６２に設けられることを特徴とする。【選択図】図２
2020086025.tif 000002
【特許請求の範囲】
【請求項１】
撮像装置に取り付けられるレンズを覆う光学フィルタを加熱する加熱手段を有することを特徴とする加熱装置。
【請求項２】
レンズに対応する形状の開口部を備える本体部と、前記本体部に取り付けられ前記本体部の周りを取り囲むように設けられた発熱部とを有する請求項１に記載の加熱装置。
【請求項３】
前記本体部のアダプタリングが配置されている側に、前記アダプタリングのリング部分の形状に対応する凹部が設けられている請求項２に記載の加熱装置。
【請求項４】
アダプタリングに配置される請求項１または２に記載の加熱装置。
【請求項５】
前記レンズと前記光学フィルタとに挟まれる請求項１または２に記載の加熱装置。
【請求項６】
前記加熱手段は、前記光学フィルタの端部を支持するフィルタ押さえに設けられる請求項１に記載の加熱装置。
【発明の詳細な説明】
【技術分野】
【０００１】
本発明は加熱装置に関する。
【背景技術】
【０００２】
フィルタをカメラに短時間で装着することができるフィルタホルダが知られている。例えば、可撓性を有する素材からなる環状体の一部に、該環状体の外周面から内周面に到達する切り欠き部を形成してなるホルダ基部と、ホルダ基部上にホルダ基部の空洞部を塞がないように重ねられ、切り欠き部が開閉可能なようにホルダ基部に接着された環状のフィルタ枠保持部と、を備え、切り欠き部を手で開いて、カメラ鏡筒をホルダ基部の空洞部に挿通し、ホルダ基部の内周面がカメラ鏡筒の外周面に接触するように、ホルダ基部をカメラ鏡筒に装着するものが知られている。
【先行技術文献】
【特許文献】
【０００３】
【特許文献１】特開２０１５−１３５４４２号公報
【発明の概要】
【発明が解決しようとする課題】
【０００４】
周囲の温度の変化により、フィルタに結露が発生したり、フィルタが凍結したりすると、撮像の妨げとなる。
１つの側面では、本発明は、フィルタの結露および凍結を抑制することを目的とする。
【課題を解決するための手段】
【０００５】
上記目的を達成するために、開示の加熱装置が提供される。この加熱装置は、撮像装置に取り付けられるレンズを覆う光学フィルタを加熱する加熱手段を有している。
【発明の効果】
【０００６】
１態様では、フィルタの結露および凍結を抑制することができる。
【図面の簡単な説明】
【０００７】
【図１】実施の形態の加熱装置を示す図である。
【図２】実施の加熱装置の配置関係を説明する図である。
【図３】加熱装置の変形例を説明する図である。
【図４】第２の実施の形態の加熱装置を示す図である。
【図５】第２の実施の形態の加熱装置の配置関係を説明する図である。
【図６】第３の実施の形態の加熱装置の配置関係を説明する図である。
【図７】第４の実施の形態の加熱装置を示す図である。
【図８】第５の実施の形態の加熱装置を示す図である。
【発明を実施するための形態】
【０００８】
以下、実施の形態の加熱装置を、図面を参照して詳細に説明する。
【０００９】
以下の図面等において示す各構成の位置、大きさ、形状、範囲などは、発明の理解を容易にするため、実際の位置、大きさ、形状、範囲などを表していない場合がある。このため、本発明は、必ずしも、図面等に開示された位置、大きさ、形状、範囲等に限定されない。
実施の形態において単数形で表される要素は、文面で明らかに示されている場合を除き、複数形を含むものとする。
＜実施の形態＞
図１は、実施の形態の加熱装置を示す図であり、図２は、実施の加熱装置の配置関係を説明する図である。
実施の形態の加熱装置１は、例えば、カメラやビデオカメラ等の撮像装置のレンズを覆う光学フィルタの曇りや結露や凍結を抑制する。
【００１０】
実施の形態の撮像システム１００は、加熱装置１とレンズ２とアダプタリング３とアダプタリング押さえ４１、４２と、光学フィルタ５とフィルタ押さえ６１、６２とを有している。
レンズ２は、図示しない撮像装置に取り付けられる。
アダプタリング３は、レンズ２に取り付けられる。
アダプタリング押さえ４１、４２は、アダプタリング３が挿入されることにより、アダプタリング３を支持する凹部４１ａ、４２ａを有している。
【００１１】
また、アダプタリング押さえ４１には、ビス７１、７２が挿通する孔部４ａ、４ｂが設けられている。アダプタリング押さえ４２には、ビス７３、７４が挿通する孔部４ｃ、４ｄが設けられている。
加熱装置１は、本体部１１と、溝部１２と、電熱線（発熱体）１３とを有している。
【００１２】
本実施の形態の本体部１１は、矩形をなしている。この本体部１１は、中央部にレンズに対応する（レンズを通した視野を妨げない）開口部１１ａと、ビス７１〜７４が挿通する孔部１１ｂ〜１１ｅを有している。
溝部１２は、開口部１１ａを取り囲むように配置されている。
電熱線１３は、溝部１２内に配置されている。電熱線１３の端部には、ＵＳＢ（Universal Serial Bus）端子１４が接続されている。
【００１３】
本実施の形態では、本体部１１とアダプタリング押さえ４１、４２とでアダプタリング３を挟み込むようにアダプタリング３を支持している。具体的には、本体部１１のアダプタリング３が配置されている側に、アダプタリング３のリング部分３０の形状に対応する凹部が設けられており、アダプタリング３の部位３０がこの凹部内に配置される。そして、アダプタリング押さえ４１、４２は、部位３０を紙面奥側から紙面手前側に付勢する付勢手段を有している。これにより、部位３０が凹部内から離脱することを抑制している。
【００１４】
また、アダプタリング３の部位３０が本体部１１の凹部内に配置されることで、光学フィルタ５とレンズ２との距離を接近させることができ、加熱装置１は、光学フィルタ５とレンズ２の両方を加熱することができる。
なお、アダプタリング押さえ４１、４２単独でアダプタリング３を支持してもよい。
なお、本体部１１の形状は、矩形に限定されない。
図３は、加熱装置の変形例を説明する図である。図１の加熱装置と同様の機能を有する箇所には同じ符号を付して説明を省略する。
図３に示す加熱装置１ａの本体部１１ｆは、加熱装置１の本体部１１に比べて上下方向の長さが短く形成されている。
再び図２に戻って説明する。
本実施の形態では、電熱線１３は、ＵＳＢ端子１４を介して温度コントローラ８に接続されている。
温度コントローラ８には、ユーザが電熱線１３の発熱温度を変更できるつまみ８ａが配置されている。発熱温度は、一例として３８℃〜５０℃である。
温度コントローラ８は、温度コントローラ８および電熱線１３に電力を供給するバッテリー９に接続されている。
フィルタ押さえ６１、６２は、フィルタ押さえ６１、６２間に挿入される光学フィルタ５を支持する凹部６１ａ、６２ａを有している。
【００１５】
また、フィルタ押さえ６１、６２は、挿入される光学フィルタ５を紙面手前側から紙面奥側に付勢する付勢手段を有していてもよい。これにより、光学フィルタ５を電熱線１３に接近させることができ、また、光学フィルタ５を凹部６１ａ、６２ａ内から離脱することを抑制することができる。
【００１６】
また、フィルタ押さえ６１には、ビス７１、７２が挿通する孔部６ａ、６ｂが設けられている。フィルタ押さえ６２には、ビス７３、７４が挿通する孔部６ｃ、６ｄが設けられている。
次に、この撮像システムの組み立て方法の一例を説明する。
【００１７】
まず、フィルタ押さえ６１、６２、加熱装置１、アダプタリング押さえ４１、４２をこの順番で重ねて孔部６ａ〜６ｄ、孔部１１ｂ〜１１ｅ、孔部４ａ〜４ｄにビス７１〜７４を挿入する。
【００１８】
そして、ナット７５〜７８をビス７１〜７４に螺合させることにより、フィルタ押さえ６１、６２、加熱装置１、アダプタリング押さえ４１、４２を仮固定する。
【００１９】
次に、フィルタ押さえ６１、６２の凹部６１ａ、６２ａに光学フィルタ５の端部を挿入して配置する。また、アダプタリング押さえ４１、４２の凹部４１ａ、４２ａを、アダプタリング３の端部に配置する。
【００２０】
その後、場合に応じてビス７１〜７４を増し締めする。これにより、光学フィルタ５がフィルタ押さえ６１、６２から落下したり、アダプタリング押さえ４１、４２がアダプタリング３から外れたりすることを抑制できる。
【００２１】
以上述べたように、実施の形態の加熱装置１によれば、撮像装置に取り付けられるレンズ２を覆う光学フィルタ５を加熱する電熱線１３を有する。従って、電熱線１３の発熱による、熱伝導や放射熱により光学フィルタ５の結露や凍結を抑制することができる。
【００２２】
なお、図２では、電熱線１３を、ＵＳＢ端子１４を介して温度コントローラ８に接続するようにした。しかし、これに限らず、電熱線１３に電力を供給するＵＳＢの接続端子が加熱装置１に配置されていてもよい。この場合、電熱線１３を外部に引き出さなくてもよい。
＜第２の実施の形態＞
次に、第２の実施の形態の加熱装置について説明する。
以下、第２の実施の形態の加熱装置について、前述した第１の実施の形態との相違点を中心に説明し、同様の事項については、その説明を省略する。
図４は、第２の実施の形態の加熱装置を示す図であり、図５は、第２の実施の形態の加熱装置の配置関係を説明する図である。
図４に示す第２の実施の形態の撮像システム１００ａは、加熱装置１の落下を抑制する落下抑制ガイド１０を備えている点が第１の実施の形態と異なっている。
【００２３】
落下抑制ガイド１０は、ビス７２、７４が挿通する開口部１０ａ、１０ｂを有している。開口部１０ａ、１０ｂは縦長に配置されており、締め付け位置を上下に調整することができる。
【００２４】
また、落下抑制ガイド１０は、下部に凹部１０ｃを有している。この凹部１０ｃにアダプタリング３を両側部から挟み込んだアダプタリング押さえ４１、４２の下部と、加熱装置１の本体部１１の下部と、フィルタ押さえ６１、６２の下部を配置させることにより、加熱装置１の落下を抑制する。
次に、この撮像システムの組みたて方法の一例を説明する。
【００２５】
まず、フィルタ押さえ６１、６２、加熱装置１、アダプタリング押さえ４１、４２をこの順番で重ねてフィルタ押さえ６１、６２の下部と、加熱装置１の本体部１１の下部と、アダプタリング押さえ４１、４２の下部を落下抑制ガイド１０の凹部１０ｃに配置させる。
【００２６】
そして、孔部６ａ、６ｃ、孔部１１ｂ、１１ｅ、孔部４ａ、４ｃにビス７１、７３を挿入する。孔部６ｂ、６ｄ、孔部１１ｃ、１１ｄ、孔部４ｂ、４ｄ、開口部１０ａ、１０ｂにビス７２、７４を挿入する。
【００２７】
そして、ナット７５〜７８をビス７１〜７４に螺合させることにより、フィルタ押さえ６１、６２、加熱装置１、アダプタリング押さえ４１、４２、落下抑制ガイド１０を仮固定する。
【００２８】
次に、フィルタ押さえ６１、６２の凹部６１ａ、６２ａに光学フィルタ５の端部を挿入して配置する。また、アダプタリング押さえ４１、４２の凹部４１ａ、４２ａを、アダプタリング３の端部に配置する。
【００２９】
その後、場合に応じてビス７１〜７４を増し締めする。これにより、光学フィルタ５がフィルタ押さえ６１、６２から落下したり、アダプタリング押さえ４１、４２がアダプタリング３から外れたりすることを抑制できる。
第２の実施の形態の撮像システム１００ａによれば、第１の実施の形態と同様の効果が得られる。
そして、第２の実施の形態の撮像システム１００ａによれば、さらに、加熱装置１の落下を抑制することができる。
＜第３の実施の形態＞
次に、第３の実施の形態の加熱装置について説明する。
以下、第３の実施の形態の加熱装置について、前述した第１の実施の形態との相違点を中心に説明し、同様の事項については、その説明を省略する。
図６は、第３の実施の形態の加熱装置の配置関係を説明する図である。
図６に示す第３の実施の形態の撮像システム１００ｂは、２つの加熱装置を備えている点が第１の実施の形態と異なっている。
【００３０】
具体的には、レンズ側から見てフィルタ押さえ６１、６２の後段（紙面手前側）に加熱装置１と同様の形状および機能を備える加熱装置１ｂが設けられている。この加熱装置１ｂの後段には、光学フィルタ５ａが挿入されるフィルタ押さえ６３、６４が配置される。
第３の実施の形態の撮像システム１００ｂによれば、第１の実施の形態と同様の効果が得られる。
そして、第３の実施の形態の撮像システム１００ｂによれば、さらに、加熱装置１の落下を抑制することができる。
＜第４の実施の形態＞
次に、第４の実施の形態の加熱装置について説明する。
以下、第４の実施の形態の加熱装置について、前述した第１の実施の形態との相違点を中心に説明し、同様の事項については、その説明を省略する。
図７は、第４の実施の形態の加熱装置を示す図である。
第４の実施の形態の撮像システムは、アダプタリングに電熱線が配置されている点が第１の実施の形態と異なっている。
【００３１】
図７に示すアダプタリング３ａは、溝部３２および電熱線３３を備える以外は、アダプタリング３と同じである。すなわち、このアダプタリング３ａは、開口部３１を取り囲むように配置される溝部３２と、この溝部３２内に配置される電熱線（発熱体）３３とを有している。電熱線３３は、第１の実施の形態と同様に、ＵＳＢ端子１４を介して温度コントローラ８に接続することができる。
このアダプタリング３ａは、加熱装置１と併せて使用しても良いし、アダプタリング３ａ単独で光学フィルタ５を加熱してもよい。
なお、図７では、レンズ２とは反対側に溝部３２と電熱線３３を配置した。しかし、レンズ２側に溝部と電熱線を配置してもよい。
第４の実施の形態の撮像システムによれば、第１の実施の形態と同様の効果が得られる。
そして、第４の実施の形態の撮像システムによれば、さらに、構造を簡易なものとすることができる。
＜第５の実施の形態＞
次に、第５の実施の形態の加熱装置について説明する。
以下、第５の実施の形態の加熱装置について、前述した第１の実施の形態との相違点を中心に説明し、同様の事項については、その説明を省略する。
図８は、第５の実施の形態の加熱装置を示す図である。
第５の実施の形態の撮像システムは、フィルタ押さえに電熱線が配置されている点が第１の実施の形態と異なっている。
【００３２】
図８には、一対のフィルタ押さえのうち、１つのフィルタ押さえ６５を図示している。図８に示すフィルタ押さえ６５は、内部にヒーター５１を備える以外は、フィルタ押さえ６１と同じである。図８では、ヒーター５１が配置される箇所を斜線で示している。
このフィルタ押さえ６５は、加熱装置１と併せて使用しても良いし、フィルタ押さえ６５単独で光学フィルタ５を加熱しても良い。
第５の実施の形態の撮像システムによれば、第１の実施の形態と同様の効果が得られる。
そして、第５の実施の形態の撮像システムによれば、さらに、構造を簡易なものとすることができる。
【００３３】
以上、本発明の加熱装置を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【符号の説明】
【００３４】
１、１ａ、１ｂ  加熱装置
１１、１１ｆ  本体部
１１ａ、３１  開口部
１１ｂ〜１１ｅ  孔部
１２、３２  溝部
１３、３３  電熱線
２  レンズ
３、３ａ  アダプタリング
３０  リング部分
４１、４２  アダプタリング押さえ
４１ａ、４２ａ  凹部
４ａ〜４ｄ  孔部
５、５ａ  光学フィルタ
５１  ヒーター
６１、６２、６３、６４、６５  フィルタ押さえ
６１ａ、６２ａ  凹部
６ａ〜６ｄ  孔部
７１〜７４  ビス
７５〜７８  ナット
８  温度コントローラ
９  バッテリー
１０  落下抑制ガイド
１０ａ、１０ｂ  開口部
１０ｃ  凹部
１００、１００ａ、１００ｂ  撮像システム
【図１】
2020086025.tif 000003
【図２】
2020086025.tif 000004
【図３】
2020086025.tif 000005
【図４】
2020086025.tif 000006
【図５】
2020086025.tif 000007
【図６】
2020086025.tif 000008
【図７】
2020086025.tif 000009
【図８】
2020086025.tif 000010